(57)【要約】【課題】枕に多様な機能性の発揮を求め、便利有効な課題解決の多機能性枕非常持ち出し箱。【解決手段】枕台となる箱を、非常持ち出しの携行用把手（８）を取り付けて格納箱兼持ち出し箱２として、多機能性枕兼非常持ち出し箱として応用しこれの蓋３に着目、格納箱兼持ち出し箱２を低く広く平たく抑え、この蓋３に枕取り付け用バンド４の通し穴５と通気孔６を開け、枕の滑り止め７、蝶番９、施錠装置１０、高低調整台１２とこれの接続装置１１、等各連携工夫を施し枕の構造を生かして各機能を発揮の多機能性枕兼非常持ち出し箱の解決を図った。【選択図】　　　　　図４
2004135944.tif 000002
【特許請求の範囲】
【請求項１】
枕を上下に分け、下部を低く広い平たい箱型の格納箱兼持ち出し箱（２）その上面を蓋（３）とし、格納箱兼持ち出し箱（２）と蓋（３）
は蝶番（９）で繋ぎ、蓋（３）に枕保持用調整可能のバンド（４）と、これを通す通し穴（５）を蓋（３）に多数配置し、蓋（３）を枕置き台とし、これより上部を枕部（１）とし各種枕を枕部（１）のバンド（４）で各種枕構造の大小寸法により、通し穴（５）の位置を変えて安定した枕取り付け固定交換容易可能とし、蓋（３）は多数の通気孔（６）を全面に開孔し、蓋（３）表面長辺側の蝶番（９）位置側端に枕滑り落ち防止用に滑り止め（７）を設け、蝶番（９）位置の反対側位置に施錠装置（１０）を設け、また格納箱兼持ち出し箱（２）壁側面の一方短壁側面に、非常持ち出し時用の携行用把手（８）を設け、格納箱兼持ち出し箱（２）の両短壁側面の四隅下端位置に嵌合用の接続装置（１１）を設け、格納箱兼持ち出し箱（２）に合わせコ型形状の枕高低と枕斜度の調整に設けた高低調整台（１２）の曲がり部（１３）と、この接続装置（１１）により格納箱兼持ち出し箱（２）に接続させ枕の高さと斜度の調整可能の枕兼非常持ち出し箱。
【請求項２】
基本枕として、長さを蓋（３）長辺側と凡そ約同寸法とした細長円筒形状の細長袋型枕（１４）、断面を湾曲とし長さを蓋（３）長辺側と凡そ約同寸とし、間隙と空間を持たせた細長空隙型枕（１５）、蓋（３）と同形の四角平面とし凡そ約同寸法の座布団型枕（１６）の３種類の枕を基本枕とする請求項１記載の多機能性枕兼非常時ち出し箱。
【発明の詳細な説明】
【０００１】
【発明の属する技術分野　】
本発明は、枕に多機能性発揮構造の高さの低い広い平面箱とし、箱内に多品目による各種利用の枕効果及び貴重品等非常持ち出し応用可能の箱とし、更に蓋を活用利用する構造とし同箱にも多種の便宜性を持たせ、枕に有効な利用付加価値を加えた寝具枕に関する。
【０００２】
【従来の技術】
従来の寝具枕は、多種多様に有り箱枕等も存在するが目的や構造に一定の形
に固定化されてをり、本枕の如く高低や斜度の調整も行い近代的付加価値機能を多数持たせた多機能性発揮構造で、特に非常携帯持ち出し箱も兼用の寝具枕は未だ公開されていない。
【０００３】
【発明が解決しようとする課題】
従来、寝具枕は多種多様に存在するが頭部を支えるのみを目的とする枕が主流であり、また一部に防災用箱枕等も存在するが構造が固定単純化され以下に挙げる各課題を持つ。
１、各種機能の利便追求。
２、便宜性の利便追求。
３、医療的利便追求。
４、各種物品保管と同管理等の利便追求。
５、高低斜度調節利用方法の利便追求。
６、非常災害時等の貴重物品持ち出し携帯等の利便追求。
以上の問題点があった。
【０００４】
本発明は、枕機能を持つ上部を枕部（１）とし、下部を物品格納と枕高低と斜度調整をする格納箱兼持ち出し箱（２）とし、この二つの組合わせにより上記各種課題問題点を解決し、利用付加価値の高い有効な寝具枕を提供することを目的としている。
【０００５】
【課題を解決するための手段】
上記目的を達成するため本発明の多機能性枕兼非常持ち出し箱は、下部の格納箱兼持ち出し箱（２）の短壁側面の片方短壁側面に非常持ち出し時用の携行用把手（８）を設けて携行等の利便を計り上面部を蓋（３）とし、格納箱兼持ち出し箱（２）と（３）に蝶番（９）を設けて蓋（３）の開閉物品の出し入れ容易とし蓋（３）を枕置き台とし、枕取りつけ保持に調節可能のバンド（４）を設け、これを通す通し穴（５）を蓋（３）に多数配置し、適当となる通し穴（５）にバンド（４）の位置を変えてバンドの長さを調節、多種多様各種枕を容易に取り付け固定交換可能とし課題解決の手段とした。
【０００６】
また蓋（３）に多数の通気孔（６）を全面に開孔し、格納箱兼持ち出し箱（２）内外の通気良好とし、蓋（３）表面長辺側の片側端に枕の滑り落ち防止用に滑り止め（７）を設け、各種枕固定の安定を良くし、蓋（３）の蝶番（９）位置の反対側位置に施錠装置（１０）を設け、格納箱兼持ち出し箱（２）の保管物品の盗難防止管理を図り各種解決の手段とした。
【０００７】
また総体的な枕高さの適性化を計り、格納箱兼持ち出し箱（２）を広く平たく高さ制限をし、枕高さ枕斜度の調整に、格納箱兼持ち出し箱（２）の四隅下端に接続装置（１１）を設け、格納箱兼持ち出し箱（２）の寸法に合わせ、コ型形状着脱可能の高低調整台（１２）の曲がり部（１３）の取り付け用穴と、この接続装置（１１）を嵌合させ枕高低と斜度の調整可能の構造とし課題解決の手段とした。
【０００８】
また枕部（１）のバンド（４）により固定される基本枕とし、首筋重点に枕荷重となる構造の長さを蓋（３）と凡そ約同寸法とした細長袋型枕（１４）、湿気等による発汗濡れ防止に重点を合わせ断面を湾曲線とし長さを蓋（３）と凡そ約同寸法とし、間隙空間を持たせ湿気等防止の細長空隙型枕（１５）、万能枕用とし蓋（３）と同四角形状の凡そ約同寸法の座布団枕（１６）の３種類の枕を基本枕とし各課題解決の手段とした。
【０００９】
【発明の実態の形態】
発明の実施の形態を実施例にもとずき図面を参照して説明する。図１〜６に示される実施例では、格納箱兼持ち出し箱（２）は、方形の左右横幅凡そ長さ約４２０ｍｍ縦方向幅凡そ長さ約２００ｍｍ箱高さ凡そ長さ約５０ｍｍの平たい箱型の構造とし、また上面部は同形状寸法の厚さ凡そ約８ｍｍの蓋（３）とし、蓋（３）左右横幅片端面２箇所に蓋（３）の開閉用に蝶番（９）左右横幅凡そ長さ約３２ｍｍ縦方向幅凡そ長さ約２４ｍｍの蝶番（９）各１個を設け、蓋（３）の離脱防止と開放を図った構造とし、また格納箱兼持ち出し箱（２）の片方短壁面に非常持ち出し時等用の携行用把手（８）取付縦長さ凡そ約１４８ｍｍ巾凡そ約１７ｍｍ握り部の空間部縦×横凡そ約２０ｍｍ×７２ｍｍを取付け、左右短面側の下端四隅に高低調整台（１２）取付用の雄雌螺子の穴径凡そ長さ約５ｍｍと組合せ円形ノブ凡そ直径約２２ｍｍの接続装置（１１）を設けている。
【００１０】
図１〜６に示される実施例では、蓋（３）に枕を締め支えるバンド（４）は横幅凡そ長さ約２８ｍｍ全長凡そ長さ約６００ｍｍ〜３００ｍｍのマジックテープ（登録商標）等利用とし、このバンド（２４）を通す横幅凡そ長さ約３０ｍｍ縦幅凡そ長さ約５ｍｍの通し穴（５）を、枕を締め支える配置を計り凡そ計１４個所に配置取り付け、また蓋（３）は格納箱内外の通気を図り穴径凡そ長さ約６ｍｍの通気孔（６）を、全面に凡そ計１２２個所に開孔し設けている。
【００１１】
図１〜６に示される実施例では、蓋（３）の蝶番（９）取り付け側上面端部に、枕の滑り落ち防止安定用に凡そ縦×横各約１０ｍｍ長さ約４００ｍｍ断面四角形棒状の滑り止め（７）の装置を取り付け、また蝶番（９）取り付けの反対側中央部に施錠用の左右横幅凡そ長さ約１６ｍｍの施錠装置（１０）を盗難防止用に設けている。
【００１２】
図３〜６に示される実施例では、接続装置（１１）に取り付けられる枕高さを調整する高低調整台（１１）は、格納箱兼持ち出し箱（２）の左右横幅に合わせ、凡そ長さ約４２８ｍｍとし横巾×縦幅を凡そ長さ約２８ｍｍ×１５ｍｍとし、この両端に高低保持と接続用の接続取り付け用曲がり部（１３）は、凡そ長さ約６５ｍｍとし先端部に接続装置（１１）と接続用の凡そ直径約６ｍｍの穴を穿ち接続装置（１１）と接続され格納箱兼持ち出し箱（２）に加わる高さは、凡そ約最高５０ｍｍ〜０ｍｍ迄の高低調整が出来これにより格納箱兼持ち出し箱（２）の高さは最高凡そ長さ約１００ｍｍに持ち上げられる、この高低調整台（１２）２台を各１両端に設けられる。
【００１３】
図４に示される実施例では、細長袋型枕（１４）は、円形枕胴回りの直径凡そ約７５ｍｍとし、格納箱兼持ち出し箱（２）寸法に合わせ、枕長さ凡そ長さ約４００ｍｍの細長い袋状の枕構造としている。
【００１４】
図５に示される実施例では、細長空隙型枕（１５）は、枕に空隙を造るため断面方形状の細長棒状とし格納箱兼持ち出し箱（２）長辺側寸法に合わせ、凡そ長さ約４２０ｍｍ、断面縦×横寸法凡そ長さ約７ｍｍ×約８ｍｍの方形細長棒７本を湾状半月型の底辺巾凡そ約８０ｍｍ半月型頂点の最高高さ凡そ長さ約２２ｍｍ厚さ凡そ６ｍｍの半月型板８枚を凡そ約６０ｍｍの等間隔立てた状態に配置し、上記の細形棒７本を等間隔に配置された半月型板に間隙を等間隔に開けて接着させ設けた構造としている。
【００１５】
図６に示される実施例では、座布団枕（１６）は、座布団型の枕を蓋（３）上面の寸法に合わせ、方形の左右横幅凡そ長さ約４２０ｍｍ縦方向幅凡そ長さ約２００ｍｍ厚み凡そ約５０ｍｍの平たい座布団型に設けた構造としている。
【００１６】
【発明の効果】
本発明は、以上説明したように構造されているので、以下に記載されるような効果を奏する。
多機能性枕兼非常持ち出し箱の使用により、直接頭部を支える枕部（１）のバンド（４）の操作により利用目的により多様に簡単容易に通し穴（５）を替えて交換固定可能となり、蓋（３）により簡単に要求要望の各種の枕を与える効果を得る事が出来る。
【００１７】
そして、各種材質の枕が簡便に取付利用が可能で、良好な接触を頭部や顔面部に与える事が出来、多種状況に合せ必要とする自己工夫枕を簡便容易に作成使用が実行可能でその効果を得る事が出来る。
【００１８】
また、頭部冷却用品その他の医療物品使用が簡単容易に出来、また格納箱兼持ち出し箱（２）内に保冷剤等の格納をし冷房用枕としての機能発揮が可能でその効果を得る事が出来る。
【００１９】
また、格納箱兼持ち出し箱（２）の存在で音楽、通信、香等各種物品の格納利用可能とし、特に近代的通信機器の格納利用応用の便宜性を高め、また薬草、香料等の格納利用によりその利用効果を得る事が出来る。
【００２０】
また、施錠装置（１０）を施した事により、貴金属貴重品等その他、重要書類等の保管を就寝中も直接身の近辺で管理可能となり、精神的安堵感その他の便宜性を与える効果を得る事が出来る。
【００２１】
さらに、高低調整台（１２）の実施により、枕を自由に高低と斜度の調整可能とし、自己体型に適した枕高さを得る事が出来る。
【００２２】
また、細長袋型枕（１４）細長空隙型枕（１５）等の使用は頭部と枕との接触面積を極小とし頭部、顔面部等の空気の流通が良好で高温多湿等の使用に発汗等による枕濡れ防止及び発汗防止等の効果を得る、また利用方法により頭部と枕との接触面積を極小とし姿勢を横寝とし、視線を妨害せず寝ながらの読書を容易としその効果を得る事が出来る。
【００２３】
最もの特徴とし格納箱兼持ち出し箱（２）は、災害等不時非常の際重要な貴重物品を精神的不安を発生し易い就寝時中に、狼狽すること無く即座に持ち出し得る最も身近く安心位置に貴重物品を置ける持ち出し箱のその効果大を得る事が出来る。
【図面の簡単な説明】
【図１】多機能性枕兼非常持ち出し箱の実施例を示す格納箱兼持ち出し箱（２）の斜視図である。
【図２】多機能性枕兼非常持ち出し箱の実施例を示す格納持ち出し箱（２）の蓋（３）を開きバンド（４）を取り付けた斜視図である。
【図３】多機能性枕兼非常持ち出し箱の実施例を示す格納持ち出し箱（２）に高低調整台（１２）を取り付けた斜視図である。
【図４】多機能性枕兼非常持ち出し箱の実施例を示す格納持ち出し箱（２）に細長袋型枕（１４）と高低調整台（１２）を取り付け状態の斜視図である。
【図５】多機能性枕兼非常持ち出し箱の実施例を示す格納持ち出し箱（２）に細長空隙型枕（１５）と高低調整台（１２）を取り付け状態の斜視図である。
【図６】多機能性枕兼非常持ち出し箱の実施例を示す格納持ち出し箱（２）に座布団型枕（１６）と高低調整台（１２）を取り付け状態の斜視図である。
【符号の説明】
１　　　枕部、
２　　　格納持ち出し箱、
３　　　蓋、
４　　　バンド、
５　　　通し穴、
６　　　通気孔
７　　　滑り止め、
８　　　携行用把手、
９　　　蝶番、
１０　　施錠装置、
１１　　接続装置、
１２　　高低調整台、
１３　　曲がり部、
１４　　細長袋型枕、
１５　　細長空隙型枕、
１６　　座布団型枕、
【図１】
2004135944.tif 000003
【図２】
2004135944.tif 000004
【図３】
2004135944.tif 000005
【図４】
2004135944.tif 000006
【図５】
2004135944.tif 000007
【図６】
2004135944.tif 000008